(57)【要約】【課題】逆止弁の機能が阻害された状態で、断水等が発生した場合でも、汚れた水が水道管に逆流することを確実に阻止する注湯装置を提供すること。【解決手段】注湯弁または注水弁の下流側で、かつ残り湯が混合する部分の上流側に逆流防止装置１３を備え、逆流防止装置は、後沸き現象により逆流防止装置内の水圧が上昇して給水圧よりも高くなった場合、その圧力差により開閉する大気開放弁３０を有するものであり、逆流防止装置１３により汚れた水が水道管に逆流することを阻止するとともに、大気開放弁３０は、給湯機の後沸き現象による、逆流防止装置内の水圧上昇で給水圧より高くなった場合に一瞬開かれ、弁の固着を防止でき、確実な逆流阻止ができる。【選択図】　図２
2004044836.tif 000002
【特許請求の範囲】
【請求項１】
湯を供給する注湯弁と、水道水を供給する注水弁と、浴槽の残り湯を機器もしくは浴槽へ供給するため流路を切り換える流路切り換え弁と、前記注湯弁と注水弁の少なくとも一方の下流側で、かつ前記残り湯が混合する部分の上流側に配置された逆流防止装置とを備え、前記逆流防止装置は、後沸き現象により逆流防止装置内の水圧が上昇して前記注水弁または注湯弁の給水圧よりも高くなった場合、その圧力差により開閉する大気開放弁を有する機器への注湯装置。
【請求項２】
注水弁または注湯弁の給水圧の受圧部と逆流防止装置内を通過する水の圧力の受圧部、および逆流防止装置内の水圧の受圧部と大気圧の受圧部との間にそれぞれダイアフラムを設け、これらの間に大気開放弁を位置させ、ダイアフラムおよび大気開放弁を連結し、かつ大気開放弁は開放される方向にばねで付勢され、前記大気圧側のダイアフラムの水圧受圧面積を、大気開放弁の逆流防止装置内の水圧受圧面積より小さくした請求項１に記載の機器への注湯装置。
【請求項３】
注水弁または注湯弁の給水圧の受圧部側におけるダイアフラムの受圧面積を、大気開放弁の逆流防止装置内の受圧面積より大きくした請求項２に記載の機器への注湯装置。
【請求項４】
逆流防止装置は、注水弁の下流側直後の位置に配置した請求項１〜３のいずれか１項に記載の機器への注湯装置。
【発明の詳細な説明】
【０００１】
【発明の属する技術分野】
本発明は、水、給湯機からの湯、浴槽の残り湯等を洗濯機、洗浄装置、空調装置等へ供給する機器への注湯装置に関するものである。
【０００２】
【従来の技術】
従来、この種の注湯装置は、図５に示す通り、給湯および浴槽水の循環加熱ができる給湯機１２の外部、または、内部に接続され、洗濯機等の機器８へ水を供給する注水弁１と、機器８へ湯を供給する注湯弁２と、浴槽９の残り湯１０を機器８もしくは浴槽９へ供給するため流路を切り換える流路切り換え弁４と、機器８への通水の有無を検出する通水検出手段５と、機器８への給水モードを選択するリモコン３と、注水弁１、注湯弁２、流路切り換え弁４、通水検出手段５、接続される給湯機１２をリモコン３で選択されたモードによってそれぞれ動作させる制御装置７から構成される。１１は循環ポンプである。
【０００３】
そして、機器８が洗濯機の場合、洗いとすすぎを自動判別し、洗いの際はリモコン３で選択されたモードに従って、水、湯、残り湯１０のいずれかを機器８へ供給し、すすぎの際は水を供給するようになっている。
【０００４】
【発明が解決しようとする課題】
そして、断水などで水道水の供給側が負圧等になって、浴槽９の汚れた残り湯１０が水道管に逆流するのを防ぐために、図５に示すように逆止弁６（安全のために２連の構成になっている）が取り付けられている。しかしながら、この逆止弁６にゴミ等が詰ることがあると、逆止弁６の働きが阻害されて、水が逆流する恐れがあるという課題を有していた。そのため、断水などで水道水の供給側が負圧等になった場合、別に設けた弁を開放させて対応することも考えられるが、断水は稀にしか無く（たとえば数年に１回しか断水しない場合）、別に設けた弁が常時閉止状態であれば、経時変化で弁が弁座に固着してしまい、いざ動作という際に逆止防止機能が働かない恐れがある。
【０００５】
本発明は、上記従来の課題を解決するものであり、逆止弁の機能が阻害された状態で、断水等が発生した場合でも、汚れた水が水道管に逆流することを確実に阻止する機器への注湯装置を提供することを目的とするものである。
【０００６】
【発明を解決するための手段】
上記目的を達成するために、本発明の機器への注湯装置は、注湯弁からの湯と注水弁からの水道水とを混合する部分の下流側で、かつ前記残り湯が混合する部分の上流側に逆流防止装置を配置し、この逆流防止装置は、後沸き現象により逆流防止装置内の水圧が上昇して前記注水弁の給水圧よりも高くなった場合、その圧力差により開閉する大気開放弁を有するものである。
【０００７】
これにより、逆止弁の機能が阻害された状態で、断水等が発生した場合でも、逆流防止装置により汚れた水が水道管に逆流することを阻止するとともに、大気開放弁は、給湯機の後沸き現象による、逆流防止装置内の水圧上昇で注水弁の給水圧より高くなった場合に開閉され、弁の固着を防止でき、確実な逆流阻止ができるものである。
【０００８】
【発明の実施の形態】
請求項１に記載の発明は、湯を供給する注湯弁と、水道水を供給する注水弁と、浴槽の残り湯を機器もしくは浴槽へ供給するため流路を切り換える流路切り換え弁と、前記注湯弁と注水弁の少なくとも一方の下流側で、かつ前記残り湯が混合する部分の上流側に配置された逆流防止装置とを備え、前記逆流防止装置は、後沸き現象により逆流防止装置内の水圧が上昇して前記注水弁または注湯弁の給水圧よりも高くなった場合、その圧力差により開閉する大気開放弁を有する機器への注湯装置とすることにより、逆止弁の機能が阻害された状態で、断水等が発生した場合でも、逆流防止装置により汚れた水が水道管に逆流することを阻止するとともに、大気開放弁は、給湯機の後沸き現象による、逆流防止装置内の水圧上昇で注水弁の給水圧より高くなった場合に開閉され、弁の固着を防止でき、確実な逆流阻止ができるものである。
【０００９】
請求項２に記載の発明は、注水弁または注湯弁の給水圧の受圧部と逆流防止装置内を通過する水の圧力の受圧部、および逆流防止装置内の水圧の受圧部と大気圧の受圧部との間にそれぞれダイアフラムを設け、これらの間に大気開放弁を位置させ、ダイアフラムおよび大気開放弁を連結し、かつ大気開放弁は開放される方向にばねで付勢され、前記大気圧側のダイアフラムの水圧受圧面積を、大気開放弁の逆流防止装置内の水圧受圧面積より小さくした請求項１に記載の機器への注湯装置とすることにより、シンプルな構成で逆流防止ができるとともに、逆流防止装置内の水の圧力が上昇した場合、大気開放弁が圧力上昇に確実に応答するものである。
【００１０】
請求項３に記載の発明は、注水弁または注湯弁の給水圧の受圧部側におけるダイアフラムの受圧面積を、大気開放弁の逆流防止装置内の受圧面積より大きくした請求項２に記載の機器への注湯装置とすることにより、断水等による圧力の変動を即座に大気開放弁を開放する力として伝えることができるようになり応答が確実になるものである。
【００１１】
請求項４に記載の発明は、逆流防止装置は、注水弁の下流側直後の位置に配置した請求項１〜３のいずれか１項に記載の機器への注湯装置とすることにより、注水弁と逆流防止装置の一体化が可能で、より簡単な構成になるものである。
【００１２】
【実施例】
以下、本発明の実施例について図面を用いて説明する。
【００１３】
（実施例１）
図１は、本発明の実施例１における機器への注湯装置を示す。全体構成において、従来例と同一部分には同一符号を付して説明を省略し、相違点を中心に説明する。
【００１４】
図において、１３は注水弁１からの水道水と注湯弁２からの湯とを混合する部分の下流側で、かつ残り湯が混合する部分の上流側に配置した逆流防止装置で、この実施例では、注湯弁２からの湯と注水弁１からの水道水とを混合する部分１４の下流側で、かつ残り湯１０が混合する部分１５の上流側に配置されている。１６は圧力導入管で、注水弁１の近傍１７の給水圧を検知するように接続されているが、注湯弁２の近傍の給水圧を検知するようにしてもよい。１８はト゛レン管で、後述する大気開放弁より排出される水を器具の外側に導くものである。１９はドレン管１８がケースを貫通する部分、２０はドレン受けである。
【００１５】
図２は逆流防止装置１３の詳細を示す。２１は水または湯の入口、２２は出口である。２３は圧力導入管１６に接続されて注水弁１の近傍１７の給水圧を導入する１次圧入口である。２４はダイアフラムＡで、注水弁１の近傍１７の給水圧を受ける受圧部２５を有している。２６は逆流防止装置１３内の水圧の受圧空間である。２７はダイアフラムＢで、大気圧を受ける受圧部２８と逆流防止装置１３内の水圧を受ける受圧部２９を有している。３０は大気開放弁であり、ゴム等の弁体３１を有し、逆流防止装置１３内の水圧を受ける受圧部３２を有している。ダイアフラムＢ２７の逆流防止装置１３内の水圧を受ける受圧部２９の面積は大気開放弁３０の逆流防止装置１３内の水圧を受ける受圧部３２の面積より小さくしている。また、ダイアフラムＡ２４の受圧部２５の面積は、可能な限り大きく設定しており、大気開放弁３０の逆流防止装置１３内の水圧を受ける受圧部３２の面積より大きくしている。３３は大気開放弁３０を開放する方向に付勢するばねである。このばね３３の力は、水が無い場合のように他に力が殆どかからない場合にのみ大気開放弁３０を開く程度の小さな力に設定している。３４は大気との連通口である。３５はそれぞれのダイアフラム２４、２７と大気開放弁３０とを連結する軸である。
【００１６】
以上のように構成された機器への注湯装置について、以下その動作、作用を説明する。
【００１７】
図２において、断水等の無い通常の状態における動作について説明する。出口２２の下流側、すなわち機器２で閉止した場合、逆流防止装置１３内ではダイアフラムＢ２７の受圧部２９および大気開放弁３０の受圧部３２に給水圧が同時にかかる。一方、ダイアフラムＡ２４の、注水弁１の近傍１７の給水圧を受ける受圧部２５には、注水弁１の近傍１７の給水圧がそのままかかり、ダイアフラムＢ２７の大気圧を受ける受圧部２８には大気圧がかかる。しかし、ダイアフラムＡ２４の受圧面積が大きいと共に、注水弁１の近傍１７の給水圧は大気圧よりも大きいために、全体の合力は大気開放弁３０を閉じる方向に働く。ばね３３は、大気開放弁３０を開く方向に付勢しているが、小さな力に設定しているため、大気開放弁３０は開かない。
【００１８】
次に、逆流防止装置１３内の水圧が上昇して注水弁１の近傍１７の給水圧より高くなった場合を図３に示す。給湯機１２が長時間、たとえば浴槽９にお湯を張るときなど、１０分以上継続して燃焼してから停止した直後に、給湯機１２の熱交換器（図１の３７）内の水が余熱によって加熱され温度上昇する後沸き現象により、逆流防止装置１３内の水圧が急激に上昇すると、ダイアフラムＢ２７の水圧を受ける受圧部２９と、大気開放弁３０の水圧を受ける受圧部３２に高い水圧がかかる。ダイアフラムＢ２７の受圧部２９の面積は大気開放弁３０の受圧部３２の面積より小さくしているため、水圧が上がるとダイアフラムＡ２４にかかる注水弁１の近傍１７の給水圧とダイアフラムＢ２７にかかる圧力の合力より大気開放弁３０の受圧部３２にかかる力が大きくなり、弁体３１が一瞬開弁され、配管内の水３６をドレン管１８に排出する。この作用のため、給湯機１２が長時間の燃焼より停止して後沸き現象が起こる度に大気開放弁３０が開き、弁体３１が度々開閉されることになる。したがって、ごく稀にしか給水が断水されないような状況、例えば数年に１回しか断水されない状況においても、弁体３１が常時閉弁されて固着することがなく、逆止防止機能の信頼性を高めることができる。
【００１９】
（実施例２）
図４は、本発明の実施例２における機器への注湯装置の逆流防止装置を示す。
【００２０】
実施例１との違いは、逆流防止装置１３が注水弁１の下流側直後で、残り湯１０が混合する部分１５の上流側に配置されたことである。注水弁１と一体化するためには、逆流防止装置１３は注水弁１の下流側直後の位置にあることが望ましい。
【００２１】
この実施例では、給湯機１２に逆流防止装置がすでに取り付けられている場合に有効である。これによって、注水弁１との一体化等が可能になり、簡単な構成にすることができる。
【００２２】
【発明の効果】
以上のように、本発明の機器への注湯装置は、逆止弁の機能が阻害された状態で、断水等が発生した場合でも、逆流防止装置により汚れた水が水道管に逆流することを阻止するとともに、逆流防止装置の大気開放弁は、給湯機の後沸き現象による、逆流防止装置内の水圧上昇で注水弁の給水圧より高くなった場合に開閉され、弁の固着を防止でき、確実な逆流阻止ができるものである。
【図面の簡単な説明】
【図１】本発明の実施例１における機器への注湯装置の全体構成図
【図２】同逆流防止装置の通常使用状態を示す断面図
【図３】同逆流防止装置の開弁状態を示す断面図
【図４】本発明の実施例２における機器への注湯装置の全体構成図
【図５】従来の機器への注湯装置を示す全体構成図
【符号の説明】
１　注水弁
２　注湯弁
４　流路切り換え弁
６　　逆止弁
１３　逆流防止装置
２４　ダイアフラムＡ
２７　ダイアフラムＢ
３０　大気開放弁
【図１】
2004044836.tif 000003
【図２】
2004044836.tif 000004
【図３】
2004044836.tif 000005
【図４】
2004044836.tif 000006
【図５】
2004044836.tif 000007